(57)【要約】【課題】  遊技機１台ごとに対応して設置され、さまざまな機能を備えていながら、操作性に優れる遊技機島の画像表示装置を提供する。【解決手段】  タッチパネル式ディスプレイ１１をスロットマシン２ごとに対応させてスロット島１の上部に設置する。そして、遊技客が、メニュー画面に従って、タッチパネル式ディスプレイ１１上のボタン画像に触れることによって、少なくともテレビやビデオの放映、店員の呼出し、遊技場における各種の遊技データを選択して表示させることができるように、遊技場全体がシステム構築されている。メダルサンド３には、イヤホーンジャック１０が装着されている。テレビやビデオの配信は、スロットマシン２の作動が終了して一定時間経過後に停止する。【選択図】図１
2007152046.tif 000002
【特許請求の範囲】
【請求項１】
遊技機と遊技媒体貸出機とを交互に複数並設した遊技機列によって形成される遊技機島に設けられる画像表示装置であって、該画像表示装置の画像表示部は、前記遊技機の１台ごとに対応して前記遊技機島の上部に設置されるとともに、画面に表示されるメニューに触れることによって、少なくともテレビやビデオの放映、遊技場における各種の遊技データ、店員の呼出しを実行することのできるタッチパネル式ディスプレイによって形成されていることを特徴とする遊技機島の画像表示装置。
【請求項２】
前記遊技媒体貸出機は、表示される画像に関わる音声を伝えるためのイヤホーン接続用のイヤホーンジャックを備えていることを特徴とする請求項１に記載の遊技機島の画像表示装置。
【請求項３】
前記タッチパネル式ディスプレイに提供されるテレビやビデオの放映は、遊技機が稼動状態にある時から一定時間経過後に停止されることを特徴とする請求項１または請求項２に記載の遊技機島の画像表示装置。
【発明の詳細な説明】
【技術分野】
【０００１】  本発明は、遊技機島に装備される遊技機の画像表示装置に関し、特に低層形の遊技機島に好適する画像表示装置に関する。
【背景技術】
【０００２】  最近の遊技機には、特に普及の目覚しいカラー液晶ディスプレイを搭載して、遊技客を飽きさせないためのテレビジョン（以下、テレビと呼ぶ）放映や、顧客サービスの一環として多彩な遊技データを画像によって提供できるようにした機種が出現している。また、液晶ディスプレイを遊技機に使用することはすでに当然のごとく実行されているが、遊技機以外の関連機器に搭載することも頻繁に行われるようになった。特許文献１には、遊技客が遊技を行う機械台の上方に設置したパチンコ・スロット用呼出し表示装置装置に、液晶ディスプレイを搭載させた構成のものが開示されている。【０００３】  これによれば、上記のパチンコ・スロット用呼出し表示装置は、遊技者が管理者へ異常を知らせるための呼出しスイッチと、点灯／消灯するランプと、異常発生時に前記ランプの点灯を制御するとともにホールコンピュータへ異常発生を知らせる制御部とを有するものであって、機械台の上方に設置される。そして、この呼出し表示装置は、映像信号を入力する入力端子と、映像信号を出力する出力端子とを備え、出力端子の映像信号が呼出し表示装置の本体外部に設けられたディスプレイに供給されることを特徴とする。【０００４】
【特許文献１】  特開平８−６６５１４号公報
【発明の開示】
【発明が解決しようとする課題】
【０００５】  本出願人は、従来から鋭意技術改良を重ねて、遊技機島の高さを低く抑えた低層形の島を実現させてきた。すなわち、パチンコ島に関しては、パチンコ球を各パチンコ台に配球するために島の長手方向に沿って設置される搬送装置を、従前のように傾斜面を転がすという構造とせずに、水平面を搬送する水平搬送装置でもって、全長に亘る高さを低く抑えることに成功した。また、スロット島に関しては、メダルの回収、洗浄、貯留、補給を行う新たな循環機構システムを提供することができるようにしたことで、低層形のスロット島を実現している。【０００６】  本発明は、上記のような低層形の遊技機島の実現に伴って、遊技機島の上部に創出される空きスペースを有効に利用しようとするものである。すなわち、遊技客を飽きさせず、また、遊技客に対してさまざまなゲーム情報を提供できるようにして、サービスの向上を図ることにある。その際、特に低層の遊技機島においては、ゲーム中の遊技客の手の届く範囲に設置することができることになるから、この特長を生かして、上記に引用の従来技術よりもコンパクトで操作性に優れる画像表示装置として提供できるようにする。
【課題を解決するための手段】
【０００７】  この発明は、上記のような課題に鑑みなされたもので、請求項１に記載の遊技機島の画像表示装置は、遊技機と遊技媒体貸出機とを交互に複数並設した遊技機列によって形成される遊技機島に設けられる画像表示装置であって、該画像表示装置の画像表示部は、前記遊技機の１台ごとに対応して前記遊技機島の上部に設置されるとともに、画面に表示されるメニューに触れることによって、少なくともテレビやビデオの放映、遊技場における各種の遊技データ、店員の呼出しを実行することのできるタッチパネル式ディスプレイによって形成されていることを特徴とする。【０００８】  また、請求項２に記載の遊技機島の画像表示装置について、前記遊技媒体貸出機は、表示される画像に関わる音声を伝えるためのイヤホーン接続用のイヤホーンジャックを備えていることを特徴とする。【０００９】  また、請求項３に記載の遊技機島の画像表示装置について、前記タッチパネル式ディスプレイに提供されるテレビやビデオの放映は、遊技機が稼動状態にある時から一定時間経過後に停止されることを特徴とする。
【発明の効果】
【００１０】  本発明の遊技機島の画像表示装置は、特に低層の遊技機島の上部に形成される空きスペースを有効利用したものである。そして、この画像表示装置の画像表示部にはタッチパネル式ディスプレイが採用されており、画面に表示されるメニューの選択によって、少なくともテレビやビデオの放映、遊技場における各種の遊技データの取得、店員の呼出しが実行できるので、周辺に外付けされていた操作ボタンの機能を画面に取り込むことができ、ボタン数を減らすことができる。その結果、遊技機周りがすっきりとまとまりのある外観となり、操作も分かりやすくなる。【００１１】  テレビやビデオの放映によって遊技客を飽きさせることがなくなり、これに適宜独自の広告を挟むような活用の仕方を工夫すれば、広告収入を見込むこともできる。ただし、テレビやビデオの放映は、その視聴を目的とするためだけに来店する客を排除するために、遊技機が稼動状態にある時点から一定時間を経過したときには、放映が停止されるようにしている。【００１２】  遊技客の求めに応じて、たとえば出玉率に優れる台番号についての情報などを取得できるほか、自分がプレイしている遊技機や番号指定した他の遊技機についての大当たり回数や直近の過去の遊技成績も簡単な操作で表示することができるようになるので、顧客サービスの向上に繋がる。遊技媒体貸出機はイヤホーンジャックを備え、これにイヤホーンを接続すれば、表示中の画像に関係する音声を聞くことができる。
【発明を実施するための最良の形態】
【００１３】  次に、この発明の実施の一形態について、スロットマシンを例にとって図を参照しながら説明する。図１は、本発明タッチパネル式ディスプレイ（画像表示装置の画像表示部）が装着されたスロット島外観の斜視図、図２は、遊技ホールにおけるシステム構成図、図３は、タッチパネル式ディスプレイに表示される画像の一部実施例を示す図である。図１において、スロット島１（遊技機島）は、スロットマシン２（遊技機）とメダルサンド３（遊技媒体貸出機）とを交互に複数並設した遊技機列によって形成されている。なお、このスロット島１は、２列の遊技機列を背中合わせに配設したもので、両面形式の島となっている。【００１４】  スロット島１の内部中央部には、島の長手方向に沿って図示しないメダル循環装置が組み込まれている。また、スロット島１の内部上部には、島の長手方向に沿って図示しない紙幣搬送装置が組み込まれ、その部分は、幕板４および天板５とによって被われている。幕板４には、各メダルサンド３に対応して紙幣挿入口６が設けられ、投入された紙幣が、紙幣搬送装置によって、島端に取り付けられた紙幣収納庫７に収納されるようになっている。また、幕板４には、演出効果を高めたり、異常の発生を報知したりするときに点灯または点滅する表示灯８が装着されている。【００１５】  メダルサンド３の正面には数値表示部９が備わっており、数々のデータが表示されるようになっている。このデータ表示部９は、たとえばＬＥＤ（発光ダイオード）からなるもので、２段で構成されている。上段は、メダルの貸出枚数や売上情報、異常表示などを適宜表示するための遊技データ表示部であり、下段は、遊技客が投入した紙幣の残額を表示して、ゲームを継続するときのための金額を留保するための残額データ表示部となっている。メダルサンド３の正面にはまた、イヤホーンを接続するためのイヤホーンジャック１０が備わっている。一方、スロット島１の天板５には、各スロットマシン２に対応して、画像表示装置の画像表示部となるタッチパネル式ディスプレイ１１が載置されている。さらに、スロット島１の島端にもディスプレイ１１ａが載置されている。【００１６】  次に、図２に示すように、一組のスロットマシン２とメダルサンド３とは、コントロールボックス１２に繋がっている。このコントロールボックス１２は、実際には、図に示したような位置に配置されるものではなく、メダルサンド３の筐体の内部に収容されたうえで、外部からの不正の介入を防ぐために厳重に封印される。なお、紙幣挿入口６から投入される紙幣の金額データはメダルサンド３と一体的に管理されるものであり、メダルサンド３を構成する機能の範囲に含まれるものである。【００１７】  コントロールボックス１２は、たとえば４台ごとにグループ分けされて、それぞれのグループが島中継ユニット１３に接続される。さらにこのような複数の島中継ユニット１３がＬＡＮケーブルでもって連結されて、島管理装置１４に接続されることによって、一つのスロット島１が形成される。島管理装置１４には、このほかにも、メダル計数機１５などの島周辺機器類が接続されており、これらを総合的に管理している。そして、複数の島管理装置１４が、ホールサーバ１６およ��ホールコンピュータ１７に集中的に接続されている。なお、島管理装置１４は、スロット島に限らず、パチンコ島、ＣＲ機島などの異なる遊技機島についてもそれぞれに対して設けられ、これらの島管理装置１４が混在した状態の遊技ホールであっても、前記同様にシステム構成される。【００１８】  一方、タッチパネル式ディスプレイ１１は、同じようにグループ分けされて画像中継ユニット１８に接続している。複数の画像中継ユニット１８は、連結して前記島中継ユニット１３とともに島管理装置１４と接続している。また、島管理装置１４は、島端に設置されたディスプレイ１１ａとも接続している。なお、タッチパネル式ディスプレイ１１は、メダルサンド３に備え付けたイヤホーンジャック１０とも繋がっている。【００１９】  メダルサンド３から送信される売上データやスロットマシン２から送信される計数データは、コントロールボックス１２において、たとえばスクランブルをかけるといった暗号化処理が施されたうえで、島中継ユニット１３を介して島管理装置１４に送信される。島管理装置１４は、メダルサンド３からの売上データ、スロットマシン２およびメダル計数機１５からの計数データのほか、異常発生回数のデータなどを収集して累計する機能を有している。また、上位にあるホールサーバ１６から送信されるコマンドによって、ホールサーバ１６が不測の事態によって一時停止したときは、その代用として各累計データの記憶処理を行う機能を有している。【００２０】  ホールサーバ１６は、前記のようにデータの集計や記憶を行う機能のほかにも、島管理装置１４を通じて各スロットマシン２についての遊技データ（メダル投入数、メダル払出数、大当たり回数、小当たり回数、ＣＴ回数、打止め回数など）を収集し、その遊技データをスロットマシン２ごとに区分して集計管理する機能を有している。また、たとえばスロットマシン２からのアウト玉信号に基づいて、各スロットマシンの稼動状態を特定する機能や、売上状態を管理する機能などを備えている。【００２１】  島管理装置１４は、画像管理機能をも含んで構成されている。そして、ホールサーバ１６は、テレビ映像やビデオ映像を、島管理装置１４を通じてタッチパネル式ディスプレイ１１に配信する機能を有している。島管理装置１４は、タッチパネル式ディスプレイ１１より発せられる要求信号に応じて、遊技データやテレビ映像などを返信して、当該タッチパネル式ディスプレイ１１に表示する。同時に、その表示内容に関する音声は、イヤホーンジャック１０に接続したイヤホーンまたはスピーカによって聴取することができるように形成されている。【００２２】  島管理装置１４は、遊技中の当該遊技機以外の遊技データに関するデータの要求信号があった場合には、ホールサーバ１６に記録されているデータから要求データを取得して、タッチパネル式ディスプレイ１１に送信する。さらに、ホールサーバ１６は、島管理装置１４を通じてディスプレイ１１ａに映像等を配信する機能を有している。ディスプレイ１１ａには、演出を高める映像や広告などのほか、遊技ホール全体に報知する必要のある告知事項、店員呼出し要求や故障・不具合があった場合に、どの遊技機島から発せられたものなのかを気���かせるための画像などが表示される。【００２３】  ところで、タッチパネル式ディスプレイ１１には、初期状態において、図３（ａ）に示すようなメニュー画面が表示されている。メニューＡ１には、ボタン操作を促す説明文Ａ２が表示され、その下部には、たとえば「テレビ・ビデオ」ボタンＡ３，「遊技情報」ボタンＡ４，「店員呼出し」ボタンＡ５が配置されている。そして、「店員呼出し」ボタンＡ５が触れられた場合には、表示灯８が点滅し、島端に設置されたディスプレイ１１ａにも呼出し画像が表示される。【００２４】  また、「テレビ・ビデオ」ボタンＡ３が触れられた場合には、図３（ｂ）の画面に切り替わる。画面には、チャンネルの選択を促す説明文Ｂ１と、チャンネル選択ボタンＢ２が表示されている。チャンネル選択後に「次へ」ボタンＢ３にタッチすることにより、そのチャンネルに提供されている映像に切り替わる。取り消しは、「キャンセル」ボタンＢ４に触れることによって実行される。このほかにも「メニュー復帰」ボタンＢ５が表示されていて、これに触れた場合には、メニューＡ１画面に戻る。なお、図示しない次の映像の放映画面に移行したときにも、直前の画面に戻る「戻る」ボタンまたは「メニュー復帰」ボタンが、常時表示されるようになっている。【００２５】  図３（ａ）において「遊技情報」ボタンＡ４が触れられた場合には、図３（ｃ）の画面に移行する。この画面には、対象遊技機の選択を促す説明文Ｃ１と、取得したいと思うデータが、自分のプレイしている台についてなのか、ほかの台についてなのかを選択するための台選択ボタンＣ２およびＣ３が表示されている。台選択ボタンＣ２が触れられた場合には、さらに「次に」ボタンＣ４に触れることによって、このタッチパネル式ディスプレイ１１が取り付けられているスロットマシン３における直近の遊技データが表示される。また、取り消しのための「キャンセル」ボタンＣ５，メニューＡ１画面に戻る「メニュー復帰」ボタンＣ６が設けられている。【００２６】  また、台選択ボタンＣ３に続き「次へ」ボタンＣ４が触れられた場合には、図３（ｄ）に切り替わる。この画面には、照会データの選択を促す説明文Ｄ１と、指定した台番号の台についてのデータ照会なのか、遊技ホール全体の台を対象とする成績の良い台のチェックなのかを選択するための照会データ選択ボタンＤ２およびＤ３が表示されている。Ｄ２ボタンに続いて「次へ」ボタンＤ４に触れた場合には、図示しないテンキーボタンが表示され、希望する台番号を入力することにより、その番号の遊技データが表示される。【００２７】  また、Ｄ２ボタンに続いて「次へ」ボタンＤ４に触れた場合には、図示しない遊技データ項目ごとの優良台番号が一覧表形式に表示される。また、図３（ｄ）画面には、取り消しのための「キャンセル」ボタンＤ５，メニューＡ１画面に戻る「メニュー復帰」ボタンＤ６が設けられている。【００２８】  この遊技機島の画像表示装置において、島管理装置１４が、スロットマッシン２の内部に取り付けられた各種センサの作動状況によって、当該スロットマッシン２が稼動中であると把握している間は、テレビ映像またはビデオ映像の配信が続けられる。一方、スロットマッシン２の稼動が認識さ���なくなった場合には、島管理装置１４は、稼動が認識されなくなった時点から、予め設定した所定の時間が経過した後に、その映像の配信を停止する。
【図面の簡単な説明】
【００２９】
【図１】  本発明の画像表示装置が組み込まれてなるスロット島外観の斜視図である。
【図２】  遊技ホールにおけるシステム構成図である。
【図３】  タッチパネル式ディスプレイに表示される画像の一部実施例を示す図である。
【符号の説明】
【００３０】  １  スロット島（遊技機島）
２  スロットマシン（遊技機）
３  メダルサンド（遊技媒体貸出機）
８  表示灯
１０  イヤホーンジャック
１１  タッチパネル式ディスプレイ（画像表示部）
１１ａ  ディスプレイ
１３  島中継ユニット
１４  島管理装置
１６  ホールサーバ
１８  画像中継ユニット
【図１】
2007152046.tif 000003
【図２】
2007152046.tif 000004
【図３】
2007152046.tif 000005